(57)【要約】【課題】消費電力や騒音を抑えることができる封入式のパチンコ機を提供する。【解決手段】封入式のパチンコ機１では、発射制御装置３５から発射され、遊技に使用された遊技球は、回収経路５１を流下し、発射制御装置３５に供給されて再び遊技に使用される。また、遊技中に開始条件（前回の遊技球の研磨から一定時間が経過する等の条件）が成立すると、研磨装置４６の研磨機構４６ａが回収経路５１に接近した状態となり、回収経路５１を流下する遊技球の研磨が行われる。そして、一定時間にわたり研磨が行われると、研磨機構４６ａが回収経路５１から離間した状態となり、遊技球の研磨が停止される。【選択図】図２
2013046740.tif 000002
【特許請求の範囲】
【請求項１】
発射装置により遊技盤上の遊技領域に向けて発射された遊技球を回収し、回収した遊技球を前記発射装置により再度発射することで、内部に封入された所定数の遊技球を循環的に使用して遊技を行う封入式の弾球遊技機であって、
前記発射装置により発射された遊技球を回収する回収手段と、
前記回収手段により回収された遊技球を、再度発射させるために前記発射装置に誘導する誘導手段と、
前記誘導手段により誘導される遊技球の汚れを除去する除去手段と、
遊技中に予め定められた開始条件が成立すると、前記除去手段に対し、前記誘導手段により誘導される遊技球の汚れの除去を行わせる除去制御手段と、
を備え、
前記誘導手段は、前記回収手段により回収された遊技球を、再度発射させるために前記発射装置に誘導する第一誘導経路及び第二誘導経路として構成されており、
前記除去手段は、前記第一誘導経路を誘導される遊技球の汚れを除去し、
前記除去制御手段は、前記開始条件の成立前は、前記第二誘導経路により遊技球を前記発射装置に誘導することで、前記除去手段に対し前記遊技球の汚れの除去を行わせず、前記開始条件が成立すると、前記第一誘導経路により遊技球を前記発射装置に誘導し、前記除去手段に対し前記遊技球の汚れの除去を行わせること、
を特徴とする弾球遊技機。
【請求項２】
請求項１に記載の弾球遊技機において、
前記開始条件とは、前記遊技球の汚れの除去が行われた後、予め定められた時間が経過するという条件であること、
を特徴とする弾球遊技機。
【請求項３】
請求項１に記載の弾球遊技機において、
前記開始条件とは、予め定められた時刻が到来するという条件であること、
を特徴とする弾球遊技機。
【請求項４】
請求項１から請求項３のうちのいずれか１項に記載の弾球遊技機において、
前記除去制御手段は、予め定められた時間にわたり、前記除去手段に対し前記遊技球の汚れの除去を行わせること、
を特徴とする弾球遊技機。
【請求項５】
請求項１から請求項３のうちのいずれか１項に記載の弾球遊技機において、
輝度に基づき遊技球の汚れの度合いを測定する測定手段をさらに備え、
前記除去制御手段は、前記測定手段により測定された遊技球の汚れの度合いが予め定められた度合いに達するまで、前記除去手段に対し前記遊技球の汚れの除去を行わせること、
を特徴とする弾球遊技機。
【発明の詳細な説明】
【技術分野】
【０００１】
本発明は、封入式の弾球遊技機に関する。
【背景技術】
【０００２】
近年、地球環境に優しいエコな弾球遊技機として、内部に封入された所定数の遊技球を循環的に使用して遊技を行う封入式の弾球遊技機が注目を集めている。この封入式の弾球遊技機では、発射装置により遊技領域に向けて発射され、遊技に使用された遊技球が弾球遊技機内部で回収され、再び発射装置により発射されると共に、ＩＣカードを用いて遊技者の持球の数がデータとして管理される。
【０００３】
すなわち、遊技者は、ＩＣカードに設定された金額の範囲内で貸し球を購入することができ、遊技を行う際、購入した貸し球は持球として弾球遊技機に一時的に記憶され、遊技球の発射や賞球の付与に応じて持球の数が更新される。そして、遊技を終了する際には、その時点の持球の数が遊技者のＩＣカードに記憶され、これに基づき景品交換が行われる。このため、賞球として弾球遊技機から排出された遊技球をドル箱に貯めておくといったことが無く、景品交換の際の手間を大幅に省くことができる。
【０００４】
また、従来は、複数の弾球遊技機が設置された島全体で遊技球が循環されており、各弾球遊技機で遊技に使用された遊技球を集めて揚送し、遊技球を上方から各弾球遊技機に供給していた。そして、島内部に球磨き装置が設けられており、遊技球を循環させる過程で球磨きが行われ、遊技球の汚れが除去されていた。
【０００５】
これに対し、封入式の弾球遊技機では、遊技領域上の入賞口やアウト口等に繋がる経路を流下する遊技球を集めて発射装置に誘導し、再び発射するので、遊技球の揚送が不要となると共に、循環させる遊技球が少なくて済み、島全体或いはパチンコ店全体としての消費電力の低下が期待される。
【０００６】
ここで、封入式の弾球遊技機では、特許文献１，２に記載されているように、弾球遊技機の内部に球磨き装置を設け、遊技球が内部を循環する過程で球磨きを行う必要がある。そして、このように個々の弾球遊技機で球磨きを行う場合には、従来のように島側で大量の遊技球に対して一括して球磨きを行う場合に比べ、騒音の低下が期待される。
【先行技術文献】
【特許文献】
【０００７】
【特許文献１】特公平６−９８２２２号公報
【特許文献２】特開２００９−２９７１４９号公報
【発明の概要】
【発明が解決しようとする課題】
【０００８】
しかしながら、遊技中、画像や音声等による各種演出と並行して球磨きが行われるとなると、従来よりも個々の弾球遊技機の消費電力や騒音が増加する可能性があり、ひいては、島全体、或いはパチンコ店全体としての消費電力や騒音が大きくなってしまうおそれがある。
【０００９】
本願発明は上記課題に鑑みてなされたものであり、消費電力や騒音を抑えることができる封入式の弾球遊技機を提供することを目的とする。
【課題を解決するための手段】
【００１０】
上記課題に鑑みてなされた請求項１に記載の発明は、発射装置により遊技盤上の遊技領域に向けて発射された遊技球を回収し、回収した遊技球を発射装置により再度発射することで、内部に封入された所定数の遊技球を循環的に使用して遊技を行う封入式の弾球遊技機に係るものである。
【００１１】
この封入式の弾球遊技機は、発射装置により発射された遊技球を回収する回収手段と、回収手段により回収された遊技球を、再度発射させるために発射装置に誘導する誘導手段と、誘導手段により誘導される遊技球の汚れを除去する除去手段と、遊技中に予め定められた開始条件が成立すると、除去手段に対し、誘導手段により誘導される遊技球の汚れの除去を行わせる除去制御手段と、を備える。
【００１２】
そして、誘導手段は、回収手段により回収された遊技球を、再度発射させるために発射装置に誘導する第一誘導経路及び第二誘導経路として構成されており、除去手段は、第一誘導経路を誘導される遊技球の汚れを除去し、除去制御手段は、開始条件の成立前は、第二誘導経路により遊技球を発射装置に誘導することで、除去手段に対し遊技球の汚れの除去を行わせず、開始条件が成立すると、第一誘導経路により遊技球を発射装置に誘導し、除去手段に対し遊技球の汚れの除去を行わせる。
【００１３】
このような構成によれば、遊技中に、常時遊技球の汚れの除去が行われてしまうことが無く、断続的に遊技球の汚れの除去を行うことができる。このため、封入式の弾球遊技機における消費電力や騒音を抑えることができる。
【００１４】
なお、封入式の弾球遊技機においては、遊技者が遊技球に直接手で触れることは無いため、従来の弾球遊技機に比べ、遊技球に汚れが付着するペースは遅いと考えられる。このため、封入式の弾球遊技機の稼動中や遊技中に常時遊技球の汚れの除去を行わなくとも、遊技に支障をきたすことや、遊技球の汚れが遊技領域等に付着し、見栄えが悪化することは無いと考えられる。
【００１５】
また、回収された遊技球を発射装置に誘導するための経路として第一誘導経路と第二誘導経路が設けられており、第一誘導経路を誘導される遊技球の汚れの除去が行われると共に、どちらの誘導経路により遊技球を誘導するかを変更可能となっているため、遊技球の汚れの除去を行うか否かを、確実に切り替えることができる。
【００１６】
また、次のようにして遊技球の汚れの除去を行うか否かを切り替えても良い。
すなわち、誘導手段は、回収手段により回収された遊技球を、再度発射させるために発射装置に誘導する発射装置誘導経路として構成されており、除去手段は、発射装置誘導経路に対する接近と離間が可能であり、発射装置誘導経路に接近した際には、発射装置誘導経路により誘導される遊技球に当接し、該遊技球を研磨することで汚れを除去すると共に、発射装置誘導経路から離間した際には、発射装置誘導経路による遊技球の誘導を妨げることが無い状態となるよう構成されていても良い。そして、除去制御手段は、開始条件の成立前は、除去手段を発射装置誘導経路から離間させた状態とし、開始条件が成立すると、除去手段を発射装置誘導経路に接近させ、除去手段に対し遊技球の研磨を行わせても良い。
【００１７】
このような構成を有する場合であっても、遊技中に遊技球の汚れの除去を行うか否かを、確実に切り替えることができる。
なお、開始条件とは、次のような内容の条件であっても良い。
【００１８】
すなわち、請求項２に記載されているように、開始条件とは、遊技球の汚れの除去が行われた後、予め定められた時間が経過するという条件であっても良い。
こうすることにより、遊技中に、一定の時間間隔を空けて間欠的に遊技球の汚れの除去を行うことができ、消費電力や騒音を抑えつつ、遊技球が汚れていない状態に保つことができる。
【００１９】
また、請求項３に記載されているように、開始条件とは、予め定められた時刻が到来するという条件であっても良い。
ここで、予め定められた時刻とは、所定の年月日時として設定されていても良いし、毎月１０日の特定時刻、或いは、特定の曜日の特定の時刻といった具合に設定されていても良い。
【００２０】
こうすることにより、遊技球の汚れが酷くなる前に、自動的に汚れの除去を行うことができる。
ところで、請求項４に記載されているように、除去制御手段は、予め定められた時間にわたり、除去手段に対し遊技球の汚れの除去を行わせても良い。
【００２１】
こうすることにより、適度に遊技球の汚れの除去を行うことができる。
また、請求項５に記載されているように、輝度に基づき遊技球の汚れの度合いを測定する測定手段をさらに備え、除去制御手段は、測定手段により測定された遊技球の汚れの度合いが予め定められた度合いに達するまで、除去手段に対し遊技球の汚れの除去を行わせても良い。
【００２２】
こうすることにより、遊技球の汚れが十分に除去されるまで汚れの除去を継続することができる。
【図面の簡単な説明】
【００２３】
【図１】パチンコ機の正面図である。
【図２】第一実施形態におけるパチンコ機の遊技領域や遊技球の経路等の背面図を模式的に示す説明図である。
【図３】パチンコ機の電気的構成を示すブロック図である。
【図４】汚れ除去開始処理，汚れ除去終了処理についてのフローチャートである。
【図５】発射制御処理についてのフローチャートである。
【図６】第二実施形態におけるパチンコ機の遊技領域や遊技球の経路等の背面図を模式的に示す説明図である。
【図７】第三実施形態におけるパチンコ機の遊技領域や遊技球の経路等を模式的に示す説明図である。
【発明を実施するための形態】
【００２４】
以下、本発明の実施形態について図面を用いて説明する。なお、本発明の実施の形態は、下記の実施形態に何ら限定されることはなく、本発明の技術的範囲に属する限り種々の形態を採りうる。
【００２５】
［第一実施形態］
［構成の説明］
（１）封入式パチンコ機について
まず、封入式パチンコ機（以下、単にパチンコ機とも記載）について説明する。封入式パチンコ機は、発射制御装置により遊技盤に向けて発射された遊技球を回収し、回収した遊技球を発射制御装置により再度発射することで、内部に封入された所定数の遊技球を循環的に使用して遊技を行うパチンコ機である。該パチンコ機で遊技を行う遊技者は、遊技球を直接手にすることはなく、パチンコ機に表示される持球（遊技に用いることができる遊技球）の数に基づいて遊技を行う。
【００２６】
各パチンコ機には、ＩＣカード処理装置が設けられており、遊技者所有の遊技カード（ＩＣカード）をこれに挿入して所定の球貸処理を行うことにより、遊技者に持球が付与され、パチンコ機での遊技が可能となる。この遊技カードには、球貸しを行うための残高や、遊技で得た持球などの各種情報が記憶されている。
【００２７】
遊技者が遊技カードをＩＣカード処理装置へ挿入して球貸操作を行えば、遊技カードの照合処理が行われた後、遊技カードの残高から所定額が減算されるのと引換えに遊技者に所定数の持球が付与され、その持球数がパチンコ機に表示される。
【００２８】
そして、遊技が開始されると、遊技球の発射に応じて持球が減算されると共に、入賞口への入球により賞球が付与された際にはこれに応じて持球が加算され、パチンコ機には最新の持球数が表示される。また、発射制御装置から発射され、遊技盤上の遊技領域に到達した遊技球の数（インとも記載）や、遊技領域を通過した遊技球の数（アウトとも記載）や、賞球の数や、大当りの発生等といった遊技情報が、パチンコ機から管理用コンピュータに送信される。
【００２９】
また、持球を有した状態で遊技を終了した遊技者が精算操作を行えば、持球の数が遊技カードに記憶され、遊技者は、記憶された持球の数に応じて各種景品を得ることができる。
【００３０】
（２）パチンコ機の全体構成について
次に、第一実施形態のパチンコ機１の全体の構成について、図１を用いて説明する。
図１に示すように、パチンコ機１は、上述のＩＣカード処理装置１００と隣り合わせで配置されている。ＩＣカード処理装置１００には、カード挿入口１１０が設けられており、カード挿入口１１０に遊技カードを挿入することで、球貸操作等が可能となり、パチンコ機１での遊技が可能となる。
【００３１】
また、パチンコ機１は、縦長の固定外郭保持枠をなす外枠２にて各部を保持する構造を有している。
外枠２の左側上下には、ヒンジ５が設けられていると共に、該ヒンジ５には内枠３が取り付けられており、内枠３は外枠２に対して開閉可能な構成になっている。
【００３２】
また、内枠３には、ヒンジ５等により前枠４が開閉可能に取り付けられていると共に、この前枠４には、板ガラス６が取り外し自在に設けられており、板ガラス６の奥には、内枠３に取り付けられた遊技盤７が配されている。
【００３３】
前枠４の上部左右には、スピーカ（図示無し）が設けられており、パチンコ機１から発生する遊技音が出力され、遊技者の趣向性を向上させる。また、遊技者の趣向性を向上させるために前枠４に遊技状態に応じて発光する枠側装飾ランプも複数設けられている。
【００３４】
前枠４の下方右側には発射ハンドル９が取り付けられており、該発射ハンドル９を時計回りに回動操作することによって発射制御装置（詳細は後述する）が可動して、遊技球が遊技盤７に形成された遊技領域７ａに向けて発射される。
【００３５】
また、前枠４の下方には、遊技者とのインターフェースとなるコントロール部８が設けられている。このコントロール部８には、球貸しを行う（遊技カードの残高と引き換えに持球を得る）引落ボタン８ａと、持球の数を遊技カードに記憶する精算ボタン８ｂと、遊技を終了して持球の数を遊技カードに記憶し、遊技カードをＩＣカード処理装置１００から取り出す返却ボタン８ｃと、遊技カードの残高や持球の数を表示する表示器８ｄが設けられている。なお、引落ボタン８ａの操作が上述の球貸操作に、精算ボタン８ｂや返却ボタン８ｃの操作が上述の精算操作に相当する。
【００３６】
また、図１は、板ガラス６の奥に位置する遊技盤７の遊技領域７ａの様子を概略的に示している。遊技領域７ａは、ガイドレール１６等によって囲まれた略円形の領域であると共に、多数の遊技釘が打ち付けられており、発射制御装置から発射された遊技球は、ガイドレール１６によって遊技領域７ａに誘導される。
【００３７】
そして、遊技領域７ａのほぼ中央部には、ワープ通路やステージ等が形成されたセンターケースや窓が設けられており、この窓の奥には、演出図柄表示装置３３ｂの液晶画面が配される。また、これら以外にも、遊技領域７ａには、常時入賞可能な第１始動口１１や、普通電動役物として構成された第２始動口１２や、一般入賞口１３や、アタッカー式の大入賞口１４等の役物（入賞口）や、アウト口１５，特図表示装置，特図保留数表示装置等が設けられている。
【００３８】
（３）遊技球の循環について
次に、第一実施形態のパチンコ機１における遊技球を循環させる仕組みについて説明する。図２には、パチンコ機１の遊技領域７ａや、遊技球の発射制御装置３５や、遊技球を誘導する経路等の背面図を模式的に示す説明図が記載されている。
【００３９】
パチンコ機１では、発射制御装置３５と遊技領域７ａとが、発射経路５０により繋がっており、発射制御装置３５から発射された遊技球は、発射経路５０を通って遊技領域７ａに到達する。なお、発射経路５０の一部は、遊技盤７上に設けられたガイドレール１６により形成されている。
【００４０】
また、遊技領域７ａに到達した遊技球は、第１，第２始動口１１，１２等の入賞口に入球するか、或いは、アウト口１５に入球するが、それぞれの入賞口，アウト口１５は、入球した遊技球を誘導する誘導経路に繋がっており、これらの誘導経路を流下する遊技球は、回収経路５１に導かれる。
【００４１】
また、発射制御装置３５から発射された遊技球の速度が低い場合には、遊技領域７ａに到達せず、遊技球が発射経路５０を逆流するが、このような遊技球は、発射経路５０に形成されたファール球取込口５０ａからファール球として回収され、ファール球取込経路（図示無し）を経由して回収経路５１に導かれる。
【００４２】
また、回収経路５１は、発射制御装置３５に繋がっており、遊技球を流下させて発射制御装置３５に導くと共に、回収経路５１上には、回収経路５１を流下する遊技球を研磨する研磨装置４６が設けられている。
【００４３】
この研磨装置４６は、二つの滑車と、滑車を回転させるためのモータと、これらの滑車に張った状態で掛け渡された（これらの滑車に係回された）環状のベルト等からなる研磨機構４６ａと、該研磨機構４６ａを回収経路５１に対し接近，離間させる制御機構４６ｂ等から構成されている。
【００４４】
研磨機構４６ａのベルトの外側には、研磨部材（例えば、布，発泡性ゴム，スポンジ）が配されていると共に、研磨機構４６ａは、ふたつの滑車の間に位置するベルトが回収経路５１に沿うように配される。
【００４５】
そして、研磨機構４６ａが回収経路５１に接近した際には、回収経路５１側に位置するベルトと回収経路５１の壁面との間に、遊技球の直径よりもやや狭い幅の通路が形成された状態となる。
【００４６】
このとき、研磨機構４６ａは、ばね等の弾性部材により回収経路５１の上記壁面の方向に付勢された状態となっており、回収経路５１側に位置するベルトが遊技球の流下方向に循環的に移動するようにモータが駆動される。これにより、該ベルトと上記壁面に挟まれた状態で遊技球が流下方向に移動し、このときに遊技球が研磨部材により研磨され、汚れが除去される。
【００４７】
一方、研磨機構４６ａが回収経路５１から離間した際には、回収経路５１側に位置するベルトと上記壁面との間に、遊技球の直径よりも広い幅の通路が形成された状態となると共に、モータの駆動が停止され、遊技球は、研磨機構４６ａにより妨げられること無く回収経路５１を流下する（換言すれば、研磨機構４６ａが離間した際には、モータを駆動しなくても、回収経路５１における研磨機構４６ａの配置位置を遊技球が通過可能な状態に維持される）。
【００４８】
さらに、回収経路５１における研磨装置４６が配された位置の上流側に隣接して、遊技球の汚れ度合いを検出するための測定装置４４が設けられていても良い。この測定装置４４は、遊技球に光を照射する光源と、光源により照らされた遊技球の輝度を測定するセンサとから構成されており、パチンコ機１を統括制御する主制御装置からの指示に応じて輝度の測定を行い、測定結果を示す信号を主制御装置に出力する。また、主制御装置では、該信号に基づき遊技球の輝度を特定し、これに基づき、遊技球の汚れ度合いを検出する。
【００４９】
また、発射経路５０の始点の付近（発射制御装置３５の配置位置の付近）には、遊技球の通過を検出する発射球センサ４１が設けられていると共に、発射経路５０に形成されたファール球取込口５０ａには、ファール球の通過を検出するファール球センサ４３が設けられている。また、回収経路５１における測定装置４４の配置位置の上流側であって、ファール球が合流する地点の下流側の位置には、アウト球センサ４２が設けられている。
【００５０】
パチンコ機１の主制御装置は、遊技中、これらのセンサを用いて、各地点を通過する遊技球の数をカウントする。そして、主制御装置は、発射球センサ４１を用いてカウントされた遊技球の数から、ファール球センサ４３を用いてカウントされた遊技球の数を減じた数を、インとして算出すると共に、アウト球センサ４２を用いてカウントされた遊技球の数から、ファール球センサ４３を用いてカウントされた遊技球の数を減じた数を、アウトとして算出し、イン及びアウトを、外部に設けられた管理用コンピュータに一定間隔で送信する。
【００５１】
なお、イン，アウトをカウントするためのセンサの配置は、これに限定されることは無く、例えば、発射球センサ４１を、発射経路５０におけるファール球取込口５０ａよりも終点側に設け、該発射球センサ４１を用いてカウントした遊技球の数を、インとしても良い。
【００５２】
また、例えば、アウト球センサ４２を、回収経路５１における、入賞口及びアウト口１５に入球した遊技球の合流地点の下流側であって、ファール球の合流地点の上流側の位置に設け、アウト球センサ４２を用いてカウントした遊技球の数をアウトとしても良い。
【００５３】
（４）電気的構成について
次に、第一実施形態のパチンコ機１の電気的構成について、図３に記載のブロック図を用いて説明する。このパチンコ機１の電気的構成は、図３のブロック図に示すとおり、主制御装置３０を中心にして構成されている。なお、このブロック図には、電源基板等は記載していない。また、詳細の図示は省略するが、主制御装置３０、演出図柄制御装置３３ａ、サブ統合装置３２のいずれもＣＰＵ、ＲＯＭ、ＲＡＭ、入力ポート、出力ポート等を備えているが、本実施例では、発射制御装置３５、電源基板にはＣＰＵ、ＲＯＭ、ＲＡＭは設けられていない。しかし、これに限るわけではなく、発射制御装置３５にＣＰＵ、ＲＯＭ、ＲＡＭ等を設けてもよい。
【００５４】
主制御装置３０には、第１始動口１１に入球した遊技球を検出する第１特図始動ＳＷ１１ａ、第２始動口１２に入球した遊技球を検出する第２特図始動ＳＷ１２ａ、普通図柄作動ゲート（図示無し）に進入した遊技球を検出する普通図柄作動ＳＷ１２ｃ、大入賞口１４に入球した遊技球を計数するためのカウントＳＷ１４ａ、一般入賞口１３に入球した遊技球を検出する一般入賞口ＳＷ１３ａ等の検出信号が入力される。
【００５５】
主制御装置３０は、搭載しているプログラムに従って動作し、上述の検出信号などに基づいて遊技の進行に関わる各種のコマンドを生成してサブ統合装置３２に出力する。
また、主制御装置３０は、図柄表示装置中継端子板２６を介して接続されている第１特図表示装置１７，第２特図表示装置１８，普通図柄表示装置２１の表示や、第１特図保留数表示装置１９，第２特図保留数表示装置２０，普図保留数表示装置２２の点灯を制御する。
【００５６】
更に、主制御装置３０は、大入賞口ソレノイド１４ｂを制御することで大入賞口１４の開閉を制御し、普通役物ソレノイド１２ｂを制御することで第２始動口１２の開閉を制御する。
【００５７】
また、主制御装置３０は、ＩＣカード中継基板２３を介してＩＣカード処理装置１００と通信可能に構成されている。また、主制御装置３０は、ＩＣカード中継基板２３を介して表示器８ｄに持球数を表示させると共に、引落ボタン８ａ，精算ボタン８ｂ，返却ボタン８ｃの操作を検知する。
【００５８】
また、主制御装置３０は、持球が存在する場合に限り、発射制御装置３５による遊技球の発射を許可する。
発射制御装置３５は、発射モータ３５ｃを制御して、遊技球を遊技領域７ａに遊技球を発射させる。また、主制御装置３０に対し、発射した遊技球をカウントするための信号を出力する。
【００５９】
なお、発射制御装置３５には発射ハンドル９からの回動量信号、タッチＳＷ３５ｂからのタッチ信号、発射停止ＳＷ３５ａから発射停止信号が入力される。
回動量信号は、遊技者が発射ハンドル９を操作することで出力され、タッチ信号は遊技者が発射ハンドル９を触ることで出力され、発射停止スイッチ信号は、遊技者が発射停止ＳＷ３５ａを押すことで出力される。なお、タッチ信号が発射制御装置３５に入力されていなければ、遊技球は発射できないほか、発射停止スイッチ信号が入力されているときには、遊技者が発射ハンドル９を触っていても遊技球は発射出来ないようになっている。
【００６０】
サブ統合装置３２は、主制御装置３０から送信されてくるデータ及びコマンドを受信し、それらを演出表示制御用、音制御用及びランプ制御用のデータに振り分けて、演出表示制御用のコマンド等は演出図柄制御装置３３ａに送信し、音制御用及びランプ制御用は自身に含まれている各制御部位（音声制御装置及びランプ制御装置としての機能部）に分配する。そして、音声制御装置としての機能部は、音声制御用のデータに基づいて音ＬＳＩを作動させることによってスピーカ２４からの音声出力を制御し、ランプ制御装置としての機能部はランプ制御用のデータに基づいてランプドライバを作動させることによって各種ＬＥＤ、ランプ２５を制御する。
【００６１】
サブ統合装置３２と演出図柄制御装置３３ａとは双方向通信が可能である。
演出図柄制御装置３３ａは、サブ統合装置３２から受信したデータ及びコマンド（共に主制御装置３０から送信されてきたものとサブ統合装置３２が生成したものとがある）に基づいて演出図柄表示装置３３ｂを制御して、演出図柄等の演出画像を表示させる。
【００６２】
なお、サブ統合装置３２から主制御装置３０へのデータ送信は行われない。
また、主制御装置３０は、発射球センサ４１，アウト球センサ４２，ファール球センサ４３，経路切替装置４５，研磨装置４６に接続されており、これらのセンサから信号が入力されると共に、これらの装置の動作を制御する。
【００６３】
また、主制御装置３０は、測定装置４４に接続されており、該装置を制御して遊技球の輝度を測定させると共に、該装置からの信号に基づき遊技球の輝度の測定値を特定し、これに基づき、遊技球の汚れ度合いを検出する。
【００６４】
［動作の説明］
次に、第一実施形態のパチンコ機１の動作について説明する。
第一実施形態のパチンコ機１は、遊技中に予め定められた開始条件が成立すると、一定時間にわたり、研磨装置４６を作動させて遊技球の汚れの除去が行われる。以下では、遊技球の汚れの除去に関する処理について、詳しく説明する。
【００６５】
（１）汚れ除去開始処理について
まず、遊技中に開始条件の成立により遊技球の汚れの除去を開始する汚れ除去開始処理について、図４（ａ）に記載のフローチャートを用いて説明する。なお、本処理は、パチンコ機１の主制御装置３０にて定期的に実行される処理である。
【００６６】
Ｓ２０５では、主制御装置３０は、遊技中か否かを判定する。具体的には、例えば、タッチＳＷ３５ｂからのタッチ信号に基づき、遊技者が発射ハンドル９に触れていることが判明した場合に、遊技中とみなしても良い。また、発射球センサ４１やアウト球センサ４２からの信号に基づき、発射制御装置３５から遊技球が発射されたことが判明した場合に、遊技中とみなしても良い。そして、肯定判定が得られた場合には（Ｓ２０５：Ｙｅｓ）、Ｓ２１０に処理を移行し、否定判定が得られた場合には（Ｓ２０５：Ｎｏ）、本処理を終了する。
【００６７】
Ｓ２１０では、主制御装置３０は、遊技球の汚れの除去を開始するための開始条件が成立したか否かを判定する。
ここで、開始条件とは、例えば、前回遊技球の汚れの除去が行われた後からの経過時間や、前回遊技球の汚れの除去が行われた後に遊技が行われた時間（遊技時間）が、予め定められた時間に達したという条件であっても良い。
【００６８】
また、開始条件とは、例えば、予め設定された時刻（Ｘ月Ｘ日のＸ：ＸＸでも良いし、毎週月曜日のＸ：ＸＸでも良い）を経過したという条件であっても良い。
また、遊技が行われている間に、測定装置４４を用いて遊技球の汚れ度合いを検出し、該汚れ度合いが予め定められた閾値以上に高くなることを、開始条件としても良い。
【００６９】
そして、肯定判定が得られた場合には（Ｓ２１０：Ｙｅｓ）、Ｓ２１５に処理を移行し、否定判定が得られた場合には（Ｓ２１０：Ｎｏ）、本処理を終了する。
Ｓ２１５では、主制御装置３０は、研磨装置４６の研磨機構４６ａを回収経路５１に対し接近した状態にすると共に、研磨機構４６ａのモータを駆動させ、研磨装置４６が配された位置に到達した遊技球の研磨が行われる状態とし、本処理を終了する。
【００７０】
（２）汚れ除去終了処理について
次に、遊技球の汚れの除去を終了させる汚れ除去終了処理について、図４（ｂ）に記載のフローチャートを用いて説明する。なお、本処理は、パチンコ機１の主制御装置３０にて定期的に実行される処理である。
【００７１】
Ｓ３０５では、主制御装置３０は、遊技球の汚れの除去中であるか否かを判定し、肯定判定が得られた場合には（Ｓ３０５：Ｙｅｓ）、Ｓ３１０に処理を移行し、否定判定が得られた場合には（Ｓ３０５：Ｎｏ）、本処理を終了する。
【００７２】
Ｓ３１０では、主制御装置３０は、遊技球の汚れの除去を終了させるための終了条件が成立したか否かを判定し、肯定判定が得られた場合には（Ｓ３１０：Ｙｅｓ）、Ｓ３１５に処理を移行し、否定判定が得られた場合には（Ｓ３１０：Ｎｏ）、本処理を終了する。
【００７３】
ここで、終了条件とは、例えば、遊技球の汚れの除去が行われた時間（継続時間）が、予め定められた時間に達したという条件であっても良い。
また、主制御装置３０は、測定装置４４により遊技球の輝度を測定すると共に、測定結果に基づき遊技球の汚れ度合いを検出し、検出された遊技球の汚れ度合いが予め定められた閾値を下回ることを、終了条件としても良い。
【００７４】
また、遊技球の汚れの除去を開始する前から、測定装置４４により遊技球の汚れ度合いを継続的に検出すると共に、汚れの除去の開始前における汚れ度合いと、開始後における汚れ度合いを比較し、遊技球の汚れ度合いが予め定められた閾値以上に低減したことを、終了条件としても良い。
【００７５】
また、主制御装置３０は、一定期間にわたり検出された複数の遊技球の汚れ度合いの平均値に基づき、上記終了条件が成立したか否かを判定しても良い。
Ｓ３１５では、主制御装置３０は、研磨装置４６における研磨機構４６ａのモータを停止させると共に、研磨機構４６ａを回収経路５１から離間した状態とし、本処理を終了する。
【００７６】
なお、言うまでも無く、上述の経過時間や遊技時間や継続時間は、任意に定めることができ、例えば、これらの時間として、数分〜十数分程度の時間を設定し、小刻みに遊技球の汚れの除去を行っても良いし、数十分以上の時間を設定し、一括して遊技球の汚れの除去を行っても良い。
【００７７】
（３）発射制御処理について
ところで、第一実施形態のパチンコ機１では、遊技中は、主制御装置３０にて持球のカウントが行われ、主制御装置３０は、発射球センサ４１からの信号に基づき遊技球の発射を検出し、持球の数を減ずると共に、ファール球センサ４３からの信号に基づきファール球の発生が検出された場合には、ファール球の数を持球に加える。
【００７８】
また、低速で遊技球を発射させ、連続的にファール球を発生させると、発射経路５０における始点からファール球取込口５０ａにかけての区間で球詰まりが発生するおそれがある。そして、既に述べたように、ファール球センサ４３はファール球取込口５０ａに設けられているが、ファール球センサ４３の設置状況によっては、この球詰まりを意図的に発生させることでファール球センサ４３による遊技球の誤検知が誘発される可能性があり、これにより持球の数を不正に増加させるという行為が行われる可能性がある。
【００７９】
このような不正行為への対策として主制御装置３０にて行われる発射制御処理について、図５に記載のフローチャートを用いて説明する。なお、本処理は、パチンコ機１の主制御装置３０にて定期的に実行される処理である。
【００８０】
Ｓ４０５では、主制御装置３０は、タッチＳＷ３５ｂからのタッチ信号に基づき遊技者が発射ハンドル９に触れているか否かを判定する。そして、肯定判定が得られた場合には（Ｓ４０５：Ｙｅｓ）、Ｓ４１０に処理を移行し、否定判定が得られた場合には（Ｓ４０５：Ｎｏ）、本処理を終了する。
【００８１】
Ｓ４１０では、主制御装置３０は、発射ハンドル９からの回動量信号（操作量信号）に基づき、遊技球が遊技領域７ａに到達する速度で発射されるか否か（ファール球とならない速度で発射されるか否か）を判定する。そして、肯定判定が得られた場合には（Ｓ４１０：Ｙｅｓ）、Ｓ４１５に処理を移行し、否定判定が得られた場合には（Ｓ４１０：Ｎｏ）、本処理を終了する。
【００８２】
Ｓ４１５では、主制御装置３０は、発射制御装置３５に対し、発射ハンドル９からの回動量信号に応じた速度での遊技球の発射を許可し、本処理を終了する。
この発射制御処理により、ファール球を発生させること無く遊技を行うことができ、遊技をし易くすることができる。また、故意にファール球を発生させて不正に持球の数を増やす不正行為を未然に防ぐことができる。
【００８３】
なお、遊技中における発射制御装置３５による遊技球の発射速度の最低値を、遊技球が遊技領域７ａに到達可能な速度（到達可能速度）としても良い。このような場合には、発射制御処理を行うこと無く、同様の効果を得ることができる。
【００８４】
また、発射制御処理において遊技球が遊技領域７ａに到達する速度で発射されるか否かを判定するための閾値や、上記到達可能速度を修正可能に構成しても良い。
これは、遊技球の研磨の状態（汚れの状態）やガイドレール１６の錆や汚れ等の状態により、遊技球とガイドレール１６との間の摩擦力が変化するが、この摩擦力の変化に応じて上記閾値や到達可能速度を適切に設定し、上記判定を正確に行う、或いは、発射した遊技球を確実に遊技領域７ａに到達させるためである。
【００８５】
具体的には、例えば、ガイドレール１６の先端付近にセンサを取り付け、遊技中で無い場合に遊技球の発射速度を変化させ、該センサやファール球センサ４３を用いて、ファール球にならない発射速度や、ファール球にならず、且つ、遊技領域７ａの左端を大きく超えない好適な発射速度を求めることが考えられる。そして、この発射速度に対応する値を上記閾値とすることや、この発射速度を上記到達可能速度とすることが考えられる。
【００８６】
［第二実施形態］
次に、第二実施形態のパチンコ機１について説明する。
第二実施形態のパチンコ機１は、第一実施形態と類似した構成を有しているが、遊技球を発射制御装置３５に誘導する経路の構成や、研磨装置４６等の構成が相違しており、以下では、この相違点を中心に説明する。
【００８７】
［構成の説明］
図６には、第二実施形態のパチンコ機１の遊技領域７ａや、遊技球の発射制御装置３５や、遊技球を誘導する経路等の背面図を模式的に示す説明図が記載されている。
【００８８】
第二実施形態においても、第一実施形態と同様の発射経路５０が設けられており、発射制御装置３５から発射された遊技球は、発射経路５０を通って遊技領域７ａに到達する。
また、第一実施形態と同様に、遊技領域７ａに到達し、入賞口やアウト口１５に入球した遊技球は、回収経路５１に導かれると共に、遊技領域７ａに到達しなかった遊技球は、発射経路５０に形成されたファール球取込口５０ａからファール球として回収され、回収経路５１に導かれる。
【００８９】
そして、第二実施形態では、回収経路５１は、遊技球を直接発射制御装置３５に導く通常経路５２と、遊技球を発射制御装置３５に導く経路であって、当該経路を流下する遊技球の汚れを除去する研磨装置４６が設けられた球磨き用経路５３とに分岐する。
【００９０】
この研磨装置４６は、遊技球を搬送するためのモータや、スプリングにより付勢されて搬送される遊技球を押圧する研磨部材（例えば、布，発泡性ゴム，スポンジ）等から構成されており、搬送される遊技球が研磨部材により擦られることで、遊技球の汚れが除去される。なお、研磨装置４６は、例えば、特許文献１に記載の玉研磨装置として構成されていても良い。
【００９１】
そして、回収経路５１の分岐点には、回収経路５１を流下する遊技球を、通常経路５２と球磨き用経路５３のどちらに導くかを設定する経路切替装置４５が設けられている。経路切替装置４５は、遊技球の進行方向を制御する弁等から構成されおり、主制御装置３０からの指示に応じて、遊技球を、通常経路５２と球磨き用経路５３のいずれかに導く。
【００９２】
また、回収経路５１の分岐点の手前には、第一実施形態と同様の測定装置４４が設けられていても良い。
また、回収経路５１の分岐点の付近（経路切替装置４５の配置位置の付近）には、遊技球の流下を検出するアウト球センサ４２が設けられている。また、第一実施形態と同様に、発射経路５０の始点の付近には発射球センサ４１が、ファール球取込口５０ａにはファール球センサ４３が設けられており、これらのセンサによりイン及びアウトのカウントが行われ、管理用コンピュータに送信される。無論、センサの配置はこれに限定されることは無い。
【００９３】
［動作の説明］
次に、第二実施形態のパチンコ機１の動作について説明する。
第二実施形態のパチンコ機１においても、第一実施形態と同様の発射制御処理を行っても良い。
【００９４】
また、第二実施形態のパチンコ機１では、第一実施形態に類似した汚れ除去開始処理，汚れ除去終了処理により、遊技球の汚れの除去が行われる。このため、以下では、これらの処理における第一実施形態との相違点について説明する。
【００９５】
（１）汚れ除去開始処理について
まず、汚れ除去開始処理について説明する。第二実施形態の汚れ除去開始処理は、Ｓ２１５が第一実施形態と相違しており、他のステップでは第一実施形態と同様の処理が行われる。このため、以下では、第三実施形態の汚れ除去開始処理におけるＳ２１５の処理の内容について説明する。
【００９６】
Ｓ２１５では、主制御装置３０は、回収経路５１を流下する遊技球が球磨き用経路５３に誘導されるように経路切替装置４５を設定する。また、研磨装置４６を作動させ、球磨き用経路５３を流下して研磨装置４６に供給された遊技球の研磨が行われる状態に設定し、本処理を終了する。
【００９７】
（２）汚れ除去終了処理について
次に、汚れ除去終了処理について説明する。第二実施形態の汚れ除去終了処理は、Ｓ３１５が第一実施形態と相違しており、他のステップでは第一実施形態と同様の処理が行われる。このため、以下では、第三実施形態の汚れ除去終了処理におけるＳ３１５の処理の内容について説明する。
【００９８】
Ｓ３１５では、主制御装置３０は、回収経路５１を流下する遊技球が通常経路５２に誘導されるように経路切替装置４５を設定する。また、研磨装置４６を停止させ、本処理を終了する。
【００９９】
［第三実施形態］
次に、第三実施形態のパチンコ機１について説明する。
第三実施形態のパチンコ機１もまた、第一実施形態と類似した構成を有しているが、遊技球を発射制御装置３５に誘導する経路の構成や、研磨装置４６等の構成が相違しており、以下では、この相違点を中心に説明する。
【０１００】
［構成の説明］
図７には、第三実施形態のパチンコ機１の遊技領域７ａや、遊技球の発射制御装置３５や、遊技球を誘導する経路等を模式的に示す説明図が記載されている。
【０１０１】
第三実施形態においても、第一，第二実施形態と同様の発射経路５０が設けられており、発射制御装置３５から発射された遊技球は、発射経路５０を通って遊技領域７ａに到達する。
【０１０２】
また、第一，第二実施形態と同様に、遊技領域７ａに到達し、入賞口やアウト口１５に入球した遊技球は、回収経路５１に導かれると共に、遊技領域７ａに到達しなかった遊技球は、発射経路５０に形成されたファール球取込口（図示無し）からファール球として回収され、回収経路５１に導かれる。そして、第二実施形態と同様に、回収経路５１は、通常経路５２と、研磨装置４６が設けられた球磨き用経路５３とに分岐し、回収経路５１の分岐点には、経路切替装置４５が設けられている。経路切替装置４５は、主制御装置３０からの指示に応じて、遊技球を、通常経路５２と球磨き用経路５３のいずれかに導く。
【０１０３】
第三実施形態では、球磨き用経路５３は、遊技球を下方に流下させることで遊技球を研磨装置４６に供給し、研磨装置４６は、遊技球を研磨しながら上方へ搬送する。研磨装置４６には、スクリュー（図示無し）や、該スクリューを駆動させるモータ４６ａが設けられており、このスクリューの回転により遊技球を順次上方へ搬送する。また、遊技球の搬送される方向に沿って研磨部材（例えば、布，発泡性ゴム，スポンジ）が配置されており、該研磨部材によって遊技球が研磨される。なお、研磨装置４６は、例えば、特許文献２に記載の遊技球研磨装置として構成されていても良い。
【０１０４】
そして、球磨き用経路５３は、研磨装置４６により研磨された遊技球を流下させることで、該遊技球を発射制御装置３５に誘導する。
さらに、第二実施形態と同様に、回収経路５１の分岐点の手前には、遊技球の汚れ度合いを検出するための測定装置４４が設けられている。また、第一，第二実施形態と同様に、発射経路５０の始点の付近には発射球センサ４１が、ファール球取込口にはファール球センサ４３が、回収経路５１の分岐点の付近にはアウト球センサ４２が設けられており、これらのセンサによりイン及びアウトのカウントが行われ、管理用コンピュータに送信される。無論、センサの配置はこれに限定されることは無い。
【０１０５】
［動作の説明］
次に、第三実施形態のパチンコ機１の動作について説明する。
第三実施形態のパチンコ機１においても、第二実施形態と同様の汚れ除去開始処理，汚れ除去終了処理により、遊技球の汚れの除去が行われる。このため、説明を省略する。また、第一実施形態と同様の発射制御処理を行っても良い。
【０１０６】
［効果］
第一〜第三実施形態のパチンコ機１によれば、開始条件が成立した場合のみ遊技球の汚れの除去が行われるため、遊技中は研磨装置４６が断続的に作動する。このため、パチンコ機１における消費電力や騒音を抑えることができる。
【０１０７】
［他の実施形態］
（１）第一〜第三実施形態におけるパチンコ機１では、主制御装置３０にて遊技球の汚れを除去するための処理が行われるが、サブ統合装置３２にて該処理を行っても良い。
【０１０８】
すなわち、経路切替装置４５，測定装置４４，研磨装置４６をサブ統合装置３２から制御すると共に、発射球センサ４１，アウト球センサ４２，ファール球センサ４３からの信号をサブ統合装置３２に入力する。また、主制御装置３０にて遊技中か否かを検出し、検出結果をサブ統合装置３２に通知するよう構成し、サブ統合装置３２にて、汚れ除去開始処理や汚れ除去終了処理を実行しても良い。このような場合であっても、同様の効果を得ることができる。
【０１０９】
また、発射制御処理に関しても同様に、サブ統合装置３２にて実行しても良い。
（２）また、第一〜第三実施形態では、パチンコ機１に遊技球の汚れを検出するための測定装置４４を設けることを例示した。しかしながら、開始条件として、前回遊技球の汚れの除去が行われた後の経過時間や遊技時間に関する条件や、時刻に関する条件が設けられていると共に、終了条件として汚れの除去の継続時間に関する条件が設けられている場合には、測定装置４４をパチンコ機１に搭載する必要は無いということを念のため付言しておく。
【０１１０】
（３）また、第一〜第三実施形態では、遊技球を研磨することで汚れの除去を行っているが、これに限らず、例えば、洗浄用の薬剤に遊技球を浸すといった方法により汚れの除去を行っても良い。このような場合であっても、同様の効果を得ることができる。
【０１１１】
［特許請求の範囲との対応］
上記実施形態の説明で用いた用語と、特許請求の範囲の記載に用いた用語との対応を示す。
【０１１２】
発射制御装置３５が発射装置に、研磨装置４６が除去手段に、測定装置４４が測定手段に相当する。
また、第二，第三実施形態における回収経路５１，ファール球取込口５０ａが回収手段に相当する。
【０１１３】
また、第二，第三実施形態における通常経路５２が第二誘導経路に、球磨き用経路５３が第一誘導経路に相当する。
また、汚れ除去開始処理のＳ２１０〜Ｓ２１５，汚れ除去終了処理のＳ３１０〜Ｓ３１５，経路切替装置４５が、除去制御手段に相当する。
【符号の説明】
【０１１４】
１…パチンコ機、２…外枠、３…内枠、４…前枠、５…ヒンジ、６…板ガラス、７…遊技盤、７ａ…遊技領域、８…コントロール部、８ａ…引落ボタン、８ｂ…精算ボタン、８ｃ…返却ボタン、８ｄ…表示器、９…発射ハンドル、１１…第１始動口、１１ａ…第１特図始動ＳＷ、１２…第２始動口、１２ａ…第２特図始動ＳＷ、１２ｂ…普通役物ソレノイド、１２ｃ…普通図柄作動ＳＷ、１３…一般入賞口、１３ａ…一般入賞口ＳＷ、１４…大入賞口、１４ａ…カウントＳＷ、１４ｂ…大入賞口ソレノイド、１５…アウト口、１６…ガイドレール、１７…第１特図表示装置、１８…第２特図表示装置、１９…第１特図保留数表示装置、２０…第２特図保留数表示装置、２１…普通図柄表示装置、２２…普図保留数表示装置、２３…ＩＣカード中継基板、２４…スピーカ、２６…図柄表示装置中継端子板、３０…主制御装置、３２…サブ統合装置、３３ａ…演出図柄制御装置、３３ｂ…演出図柄表示装置、３５…発射制御装置、３５ａ…発射停止ＳＷ、３５ｂ…タッチＳＷ、３５ｃ…発射モータ、４１…発射球センサ、４２…アウト球センサ、４３…ファール球センサ、４４…測定装置、４５…経路切替装置、４６…研磨装置、４６ａ…研磨機構、４６ｂ…制御機構、５０…発射経路、５０ａ…ファール球取込口、５０ｂ…ファール球取込経路、５１…回収経路、５２…通常経路、５３…球磨き用経路、１００…ＩＣカード処理装置、１１０…カード挿入口。
【図１】
2013046740.tif 000003
【図２】
2013046740.tif 000004
【図３】
2013046740.tif 000005
【図４】
2013046740.tif 000006
【図５】
2013046740.tif 000007
【図６】
2013046740.tif 000008
【図７】
2013046740.tif 000009